(57)【要約】【課題】優れた通気性機能を有しつつ、横ずれ等の外力に対する強度を確保することが可能なパネルを提供する。【解決手段】パネル１は、上枠材２と下枠材３と左側縦枠材４と右側縦枠材５とによって形成される矩形状の矩形枠体６を備えている。この矩形枠体６の片面側に、上枠材２と下枠材３とに対して斜め方向に複数の板材７が取り付けられている。板材７はそれぞれ隙間８を隔てて同一の斜め方向に取り付けられている。板材７の長手方向に対して垂直となるように、板材７とは逆向きの斜め方向に補強部材９が取り付けられている。板材７と補強部材９とは釘打ちにより固定されている。【選択図】図１
2014218831.tif 000002
【特許請求の範囲】
【請求項１】
上枠材と下枠材と左側縦枠材と右側縦枠材とによって形成される矩形状の矩形枠体と、前記矩形枠体の片面側に、前記上枠材と前記下枠材とに対して斜め方向に取り付けられた複数の板材とを備えたパネルであって、前記板材はそれぞれ隙間を隔てて同一の斜め方向に取り付けられており、前記板材の長手方向に対して垂直となるように前記板材とは逆向きの斜め方向に取り付けられた補強部材を備えたことを特徴とするパネル。
【請求項２】
前記板材と前記補強部材とは釘打ちにより固定されており、前記板材と前記補強部材とが重なりあう領域の四隅に前記釘打ちによる打点が形成され、隣接する前記打点を結ぶ線によって前記板材と前記補強部材とが重なりあう領域上に長方形または正方形が形成されることを特徴とする請求項１記載のパネル。
【請求項３】
請求項１または２記載のパネルを複数接合して形成されるパネル接合構造であって、隣接するパネルの前記板材の方向が互いに逆向きの斜め方向であり、前記隣接するパネルの接合部に通気路が設けられていることを特徴とするパネル接合構造。
【請求項４】
請求項１または２記載のパネル、または請求項３記載のパネル接合構造を用いて形成された木造建築物。
【発明の詳細な説明】
【技術分野】
【０００１】
本発明は、空気の通気機能を有しつつ、横ずれ等の外力に対する強度を確保することが可能なパネルと、このパネルを接合したパネル接合構造、およびこれらを用いた木造建築物に関する。
【背景技術】
【０００２】
木造建築物の床パネル、壁パネル、屋根パネルとして、複数の板材を張り合わせた木質パネルが用いられている。このような木質パネルの一例が、特許文献１、特許文献２に記載されている。
【先行技術文献】
【特許文献】
【０００３】
【特許文献１】実用新案登録第３０５３３１２号公報
【特許文献２】特開平１０−２０４６号公報
【発明の開示】
【発明が解決しようとする課題】
【０００４】
特許文献１に記載の壁パネルは、複数の板材を縦方向に対して右斜め上り、または右斜め下りに相互の板厚端面どうしを一体的に接着接合させて構成した板パネル部材を備えたものであり、各板材は互いに密着して取り付けられている。これに対し、特許文献２に記載のパネルは、多数の板材を、所定隙間を隔てて斜めに取り付けた構造となっており、板材の間の隙間が通気路として機能することにより、パネル自体に通気性を持たせた構造となっている。
【０００５】
しかし、特許文献２に記載のパネルでは、特許文献１に記載のものと比べると、各板材の間に隙間があるために、板材同士が接触することによる力が作用せず、機械的強度が弱くなるという問題がある。その一方、特許文献１に記載のもののように、各板材が互いに密着していると、パネルに対して横方向の力が働いたときに板材が浮く現象が起こりやすい。
【０００６】
本発明はこのような事情を考慮してなされたもので、優れた通気性機能を有しつつ、横ずれ等の外力に対する強度を確保することが可能なパネルを提供するとともに、このパネルを接合したパネル接合構造と、これらを用いた木造建築物を提供することを目的とする。
【課題を解決するための手段】
【０００７】
以上の課題を解決するために、本発明のパネルは、上枠材と下枠材と左側縦枠材と右側縦枠材とによって形成される矩形状の矩形枠体と、前記矩形枠体の片面側に、前記上枠材と前記下枠材とに対して斜め方向に取り付けられた複数の板材とを備えたパネルであって、前記板材はそれぞれ隙間を隔てて同一の斜め方向に取り付けられており、前記板材の長手方向に対して垂直となるように前記板材とは逆向きの斜め方向に取り付けられた補強部材を備えたことを特徴とする。
【０００８】
複数の板材はそれぞれ隙間を隔てて同一の斜め方向に取り付けられているため、隙間が空気の通気路として機能して通気性が確保されるとともに、板材の長手方向に対して垂直となるように板材とは逆向きの斜め方向に補強部材が取り付けられているため、パネルに対して横方向の力が働いたときに、板材の横ずれを防止する機能を補強部材が発揮する。
【０００９】
特許文献２に記載のパネルのように、通常用いられる筋交いは、枠体を対角線状に結ぶものであり、複数の板材と垂直に交差しないが、本発明における補強部材は、複数の板材と垂直に交差する点に大きな特徴がある。建材として使用されるパネルは、地震等によって発生する横方向の力による横ずれへの耐久性を有することが重要であるが、このような横ずれ防止のためには、板材に対して垂直に交差する部材を配置することが最も有効である。この観点から本発明においては、板材に対して垂直な方向に、板材とは逆向きの斜め方向に補強部材が取り付けられており、これによって横ずれへの耐久性を最大限に高めることができる。また、特許文献１に記載のパネルのように、各板材が互いに密着する構造ではないため、パネルに対して横方向の力が働いたときに板材が浮く現象も起こりにくい。
【００１０】
本発明のパネルにおいては、前記板材と前記補強部材とは釘打ちにより固定されており、前記板材と前記補強部材とが重なりあう領域の四隅に前記釘打ちによる打点が形成され、隣接する前記打点を結ぶ線によって前記板材と前記補強部材とが重なりあう領域上に長方形または正方形が形成されることが好ましい。
【００１１】
板材と補強部材とを固定するにあたって、釘打ち箇所を増やせば固定が強固になることは明らかであるが、そうすると釘打ち工程に時間がかかり、必要な釘の数も増大するため、釘打ち箇所を最小限にしてパネルの強度を確保することが要求される。本発明においては、板材と補強部材とが重なりあう領域の四隅に釘打ちによる打点を形成し、隣接する打点を結ぶ線によって板材と補強部材とが重なりあう領域上に長方形または正方形が形成されるようにすることによって、パネルに対して横方向の力が働いたときに、最小限の釘打ち箇所数によって、板材がずれることを最も好適に防止することができる。
【００１２】
本発明のパネル接合構造は、本発明のパネルを複数接合して形成されるパネル接合構造であって、隣接するパネルの前記板材の方向が互いに逆向きの斜め方向であり、前記隣接するパネルの接合部に通気路が設けられていることを特徴とする。
【００１３】
隣接するパネルの板材の方向が互いに逆向きの斜め方向であることにより、接合されたパネルに対していずれの方向から横向きの力が働いても、パネルのずれを有効に防止することができる。また、隣接するパネルの接合部に通気路が設けられていることにより、板材の間に形成される隙間は通気路に連結する構造となるため、パネル接合構造としての通気性が確保される。
【００１４】
本発明の木造建築物は、本発明のパネル、または本発明のパネル接合構造を用いて形成されたものである。本発明のパネル、および本発明のパネル接合構造は、横ずれに対して強固な構造であるため、地震等の揺れに強い木造建築物を構築することができる。
【発明の効果】
【００１５】
本発明は、通気性が確保されるとともに、横ずれ防止機能に優れたパネルと、パネル接合構造を実現することができ、地震等の揺れに強い木造建築物を実現することができる。
【図面の簡単な説明】
【００１６】
【図１】本発明の実施形態に係るパネルの構造を示す図である。
【図２】釘打ちの詳細を説明するための図である。
【図３】釘打ちによる打点を説明するための図である。
【図４】パネル接合構造を示す図である。
【図５】パネルとパネル接合構造を用いた木造建築物の構造を示す図である。
【発明を実施するための形態】
【００１７】
以下に、本発明のパネルをその実施形態に基づいて説明する。
図１に、本発明の実施形態に係るパネルの構造を示す。図１（ａ）は、パネルの正面図、図１（ｂ）は、図１（ａ）におけるＡ−Ａ断面図、図１（ｃ）は、図１（ａ）におけるＢ−Ｂ断面図、図１（ｄ）は、パネルに用いられる矩形枠体と補強部材と中枠材の正面図である。
【００１８】
パネル１は、上枠材２と下枠材３と左側縦枠材４と右側縦枠材５とによって形成される矩形状の矩形枠体６を備えている。この矩形枠体６の片面側に、上枠材２と下枠材３とに対して斜め方向に複数の板材７が取り付けられている。板材７はそれぞれ隙間８を隔てて同一の斜め方向に取り付けられている。
【００１９】
板材７の長手方向に対して垂直となるように、板材７とは逆向きの斜め方向に補強部材９が取り付けられている。通常用いられる筋交いは、矩形枠体６の対向する角を結んで対角線状に交差するように１本ずつ設けられるものであるが、本発明における補強部材９は、通常の筋交いとは異なり、板材７の長手方向に対して垂直となるように、同一の斜め方向に複数本設けられるものである。
【００２０】
矩形枠体６はさらに、上枠材２と下枠材３とを上下方向に連結し、左側縦枠材４と右側縦枠材５とに平行に複数の中枠材１０が取り付けられている。また、板材７の矩形枠体６側の面には、防水シート１１が取り付けられている。
【００２１】
板材７と補強部材９とは釘打ちにより固定されている。この釘打ちの詳細を図２に基づいて説明する。図２は、図１（ａ）におけるＣ部分の部分拡大図である。
図２に示すように、板材７と補強部材９とが重なりあう領域（以下、「重複領域」という）の四隅に、釘打ちによる打点１２が形成される。隣接する打点１２を線で結ぶと、重複領域上に長方形または正方形が形成される。打点１２がこのように形成される結果、釘打ちによる打点１２の列は、補強部材９の長手方向に沿って２列の直線状となるように形成される。
【００２２】
釘打ちによる打点１２を上記のようにした理由を、図３に基づいて説明する。
図３は、釘打ちによる打点１２の数と位置を変えた例を示している。図３（ａ）は、重複領域の中央に１つの打点１２を形成したものであり、パネルに対して横方向の力が働いたときに、１つの打点のみで固定することになるため、最も弱い。
【００２３】
図３（ｂ）は、重複領域の左右の端部に打点１２を１つずつ形成したものであり、打点１２の連結線１３が水平方向に１つ形成される。この場合には、パネルに対して横方向の力が働いたときに、図３（ａ）のものよりは打点１２の数が増えるため強くなる。
【００２４】
図３（ｃ）は、重複領域の上下の端部に打点１２を１つずつ形成したものであり、打点１２の連結線１３が上下方向に１つ形成される。この場合には、パネルに対して横方向の力が働いたときに、上下方向に形成された連結線１３が、横方向の力に対する抵抗線として機能して、パネルが回転しようとしてずれることを防止するため、図３（ｂ）のものよりも強くなる。
【００２５】
図３（ｄ）は、本発明の実施形態である、重複領域の四隅に打点１２を形成したものであり、それぞれの打点１２を結んで連結線１３が６つ形成される。そのため、パネルに対して横方向の力が働いたときに、各方向に形成された連結線１３が、横方向の力に対する抵抗線として機能するため、パネルが回転しようとしてずれることを最も好適に防止することができる。
【００２６】
図４に、パネル接合構造を示す。
パネル接合構造２０は、図１に示す本発明のパネル１を複数接合して形成されるものである。隣接するパネル１の板材７の方向は、互いに逆向きの斜め方向となるように接合されており、隣接するパネル１の接合部には、パネル１の上下方向に通気路２１が設けられている。板材７の間に形成される隙間８は通気路２１に連結しており、図４において矢印で示すように、隙間８を通った空気は通気路２１に流れ込み、パネル接合構造２０としての通気性が確保される。板材７の矩形枠体６側の面には、防水シート１１が取り付けられている。また、中枠材１０の間には断熱材２２が配置されている。なお、図４においては、図１に示す釘打ちの打点の詳細は省略し、概略のみを示している。
【００２７】
図５に、パネルとパネル接合構造を用いた木造建築物の構造を示す。
本発明のパネル１とパネル接合構造２０は、木造建築物３０を構成する壁パネル３１、床パネル３２、屋根パネル３３として使用される。壁パネル３１、床パネル３２、屋根パネル３３がそれぞれ、通気性と横ずれに強い構造を有しているため、地震等の揺れに強い木造建築物を構築できる。
【産業上の利用可能性】
【００２８】
本発明は、通気性が確保されるとともに、横ずれ防止機能に優れたパネルと、パネル接合構造として利用することができ、湿気が多く地震の発生が多い状況にも対応できる木造建築物として広く利用することができる。
【符号の説明】
【００２９】
１  パネル
２  上枠材
３  下枠材
４  左側縦枠材
５  右側縦枠材
６  矩形枠体
７  板材
８  隙間
９  補強部材
１０  中枠材
１１  防水シート
１２  打点
１３  連結線
２０  パネル接合構造
２１  通気路
２２  断熱材
３０  木造建築物
３１  壁パネル
３２  床パネル
３３  屋根パネル
【図１】
2014218831.tif 000003
【図２】
2014218831.tif 000004
【図３】
2014218831.tif 000005
【図４】
2014218831.tif 000006
【図５】
2014218831.tif 000007